(57)【要約】【課題】エレベーターが到着するまでの時間はエレベーターの状態によりバラツキが大きいので、待ち時間がどのくらいになるのかわからずにイライラ感が募る不満があり、さらに、ホール呼びボタンをＯＮさせても待ち時間が長引くとエレベーター利用者は階段を利用することとなるので、エレベーター利用者が存在しないにも拘わらず、エレベーターがホール呼びボタンがＯＮされた階床に停止することは非効率であった。【解決手段】前記課題を解消するために、ホール呼びボタンと別個に予約ボタンを設け、当該予約ボタンのＯＮにより、全エレベーターの運行状況の表示、エレベーターの群管理制御により割り当てられたエレベーターの停止予報表示、及び到着までの待ち時間の報知を行う。【選択図】図１
2009143635.tif 000002
【特許請求の範囲】
【請求項１】
、エレベーターの現在位置及び走行中か停止中か等の運行状況を表示するエレベーター位置表示手段、予約ボタン、予約表示手段、及び報知手段等の各種の手段・機能が配設された予約操作盤が、群管理制御手段を含むエレベーター制御装置と接続されており、当該エレベーター制御装置は、予約ボタンのＯＮにより、全エレベーターの運行状況をエレベーター位置表示装置に表示する表示制御、当該予約ボタンがＯＮされた呼出階床へ停止させるエレベーターの仮割当を行う仮割当制御、当該仮割当されたエレベーターが全エレベーターの内の何れであるかを予約表示手段に表示させる予約表示制御、当該仮割り当てされたエレベーターが呼出階床に到着するまでの待ち時間を前記報知手段にて報知する報知制御を行うと共に、当該報知から所定時間内にホール呼びボタンのＯＮを検出すると、当該仮割当を確定割当に変更して群管理のエレベーター制御にて前記呼び階床に停止させ、かつ予約操作盤に配設された前記各種手段・機能をＯＦＦにし、逆に、ＯＮを検出しないときは、予約操作盤に配設された前記各種手段・機能をＯＦＦにし、かつ仮割当を解除した群管理のエレベーター制御を行う、群管理エレベーターの予約操作システム。
【請求項２】
請求項１における予約操作盤は、ホール呼びボタンを具備してる群管理エレベーターの予約操作システム。
【請求項３】
請求項１又は２における報知手段が、音声、又は映像である群管理エレベーターの予約操作システム。
【請求項４】
請求項１乃至３におけるエレベーター制御装置は、予約操作盤の各種手段・機能の制御を予約操作盤に設けた制御装置にて分散処理させる群管理エレベーターの予約操作システム。
【発明の詳細な説明】
【技術分野】
【０００１】
群管理制御している複数のエレベーター運行状況と目的階へ行くエレベーターを表示するための予約操作システムに関する。
【背景技術】
【０００２】
複数台のエレベーターを効率的に運行するために、複数のエレベーターを一括して管理する群管理制御は、周知のエレベーター制御であり、そこでは、ホール呼びボタンがＯＮされると、複数のエレベーターの内の１が選定基準に基づいて選定されて当該ホール呼びボタンがＯＮされた階床の乗場に停止することとなる。
しかしながら、当該ホール乗場で待機しているエレベーター利用者は、複数のエレベーターの内どのエレベーターが停止するのかを表示する表示手段に対して常に注意を払っていなければならない煩わしさがあった。
そこで、ホール呼びボタンがＯＮされると、その乗場に停止するエレベーターを割り当て、当該割り当てられて停止するエレベーターが全エレベーターの内のどのエレベーターであるかを予報する停止予報表示が従来行われていた（特許文献１参照）。
【特許文献１】特開平６−８７５７６号公報
【発明の開示】
【発明が解決しようとする課題】
【０００３】
特許文献１に示されるような群管理エレベーターにおいても、ホール呼び
ボタンがＯＮされると、ただちにサービスするエレベーターを割り当て、当該ホール呼びボタンがＯＮされた階床に、割り当てられて停止するエレベーターがどのエレベーターであるかを知らせる為の停止予報表示が行われるが、当該停止予報表示されたエレベーターが停止するとは限らず、また、エレベーターが到着するまでの時間はエレベーターの状態によりバラツキが大きいので、待ち時間がどのくらいになるのかわからずにイライラ感が募る不満があった。
【０００４】
さらに、エレベーター利用者は、ホール呼びボタンをＯＮさせても待ち時間が長引くと階段を利用し、ホール呼びボタンがＯＮされた階床にエレベーター利用者が存在しないにも拘わらず当該階床にエレベーターが停止することは非効率との問題があった。
【課題を解決するための手段】
【０００５】
前記課題を解消するために、ホール呼びボタンと別個に予約ボタンを設け、当該予約ボタンのＯＮにより、全エレベーターの運行状況の表示、エレベーターの群管理制御により割り当てられたエレベーターの停止予報表示、及び到着までの待ち時間の報知を行う。
【発明の効果】
【０００６】
本発明によれば、予約ボタンをＯＮすることで全エレベーターの運行状況が把握でき、しかも、エレベーターの待ち時間が判明するので、エレベーターを利用するかどうかをその場で判断できるばかりでなく、到着までの大よその時間を知ることで、エレべーター利用の場合でも待っている間のイライラ感が解消される。
【発明を実施するための最良の形態】
【０００７】
以下、本発明の一実施例を図１、図２、図３を用いて説明する。
図１は本発明の予約操作盤の正面図である。
符号６はエレベーターの運行状況を表示する「予約操作盤」、符号７はエレベーターの「乗場ドア」、符号８は割り当てられて停止するエレベーターが全エレベーターの内のどのエレベーターであるかを表示する「割当エレベーター表示灯」、符号９は「ホール呼びボタン」を示す。
また、予約操作盤６には、符号６ａで示す「ホール呼びボタン」、符号６ｂで示す「スピーカー」、符号５ａ〜５ｄで示す「エレベーターＮｏ」、符号４ａ〜４ｄで示すエレベーターの「予約表示灯」、符号１ａ〜１ｄで示すエレベーターの現在位置と走行中か停止中かを表示する「エレベーター位置表示灯」、符号２ａ〜２ｄで示す各エレベーターの階床数字を表示する「エレベーター階床印字」、及び符号３で示す、上昇ボタン「↑」及び下降ボタン「↓」の２部分から成る「予約ボタン」等の機器が配設されている。
【０００８】
本件発明の予約操作盤６の作用を説明する。
乗客が上方階床、又は下方階床への移動のために、予約ボタン３の上昇ボタン「↑」又は下降ボタン「↓」がＯＮすると、エレベーター制御装置に含まれる群管理制御手段により、当該予約ボタンがＯＮされた階床に停止するエレベーターを割り当て、当該割り当てられたエレベーターに対応する予約表示灯４ａ〜４ｄの上昇表示「↑」又は下降表示「↓」が点灯表示されると共に、エレベーターの現在位置及び走行中又は停止中かの運行状況がエレベーター階床印字２ａ〜２ｄに対応してエレベーター位置表示灯１ａ〜１ｄに表示される。
さらに、スピーカー６ｂにて、エレベーターが到着するまでの待ち時間及びエレベーターＮｏがアナウンスされる。
【０００９】
そこで、乗客がエレベーターを利用するときは、スピーカー６ｂにて報知される待ち時間のアナウンスから所定時間内にホール呼びボタン６ａがＯＮになると、当該ホールに停止するように制御された割当エレベーターが全エレベーターの内どのエレベーターであるかを表示する為の割当エレベーター表示灯８が点灯する。
一方、エレベーター位置表示灯１ａ〜１ｄ、予約表示灯４ａ〜４ｄ及びスピーカー６ｂにてアナウンスされた待ち時間を勘案して、乗客がエレベーターを利用しない場合はホール呼びボタン６ａがＯＮとなっていないので、所定時間経過後にホール呼びボタン６ａがＯＮでないことを確認して予約操作盤６に設置されている表示等の各種手段・機能がＯＦＦとされて終了する。
【００１０】
次に、本発明の予約操作盤に関するエレベーター制御について第３図のフローチャートを用いて説明する。
ステップＳ１：呼出階床の予約ボタン３のＯＮを図示しないエレベーター制御装置が検出する。
ステップＳ２：図示しないエレベーター制御装置は、エレベーターＮｏ．１〜Ｎｏ．４の運行状況（上昇、下降、走行中、停止中）をエレベーター位置表示灯１ａ〜１ｄに表示する。
ステップＳ３：図示しないエレベーター制御装置に含まれる群管理制御手段が、呼出階床に停止制御させるエレベーターを仮に割り当てる仮割当を行う。
ステップＳ４：当該仮割当てられたたエレベーターＮｏ．１〜Ｎｏ．４に対応するエレベーター予約表示灯４ａ〜４ｄを点灯表示すると共に、待ち時間をスピーカー６ｂからアナウンス報知する。
ステップＳ５：当該アナウンス報知から所定時間が経過したか否か判定し、当該判定が、所定時間が経過していないＮＯ判定のときは、ステップＳ４に戻り、他方、所定時間が経過したＹＥＳ判定のときはステップＳ６に進む
ステップＳ６：ホール呼びボタンがＯＮか否かの判定を行い、ＯＮのＹＥＳ判定のときはステップＳ７に進み、ＮＯ判定のときはステップ１０に進む。
ステップＳ７：エレベーターの仮割当を本割当にして通常のエレベーター制御を行うと共に、割り当てたエレベーターであることを表示する為に、割当エレベーター表示灯８ａ〜８ｄを点灯する。
ステップＳ８：ステップＳ７で通常のエレベーター制御を行い、割り当てたエレベーターをホール呼出ボタンがＯＮされた階床に停止させる。
ステップＳ９：予約操作盤６の表示等の各種機能、及び割当エレベーター表示灯８ａ〜８ｄをＯＦＦにして終了する。
ステップＳ１０：ステップＳ６でＮＯ判定のとき、エレベーターの仮割当を解除すると共に、予約操作盤６の表示等の各種機能をＯＦＦにして終了する。
ステップＳ１１：予約ボタン３のＯＮ以前決定されていたとおりのエレベーター制御が実行される。
【００１１】
なお、ここで、アナウンスからの経過時間を指す「所定時間」、割当エレベーターが到着する迄の「待ち時間」について補足すると、
前者は、少なくとも、エレベーターを利用するか、階段を利用するか判断するに要する時間以上であり、かつ、割り当てられたエレベーターが、ホール呼出ボタンがＯＮされた階床に停止制御不可能となる迄の適宜の時間である。
また、後者は、割り当てられたエレベーターと呼出階床との距離、時間帯を過去の運行履歴から統計的に処理した値、例えば、正規分布におけるモード値、中央値、平均値等適宜値である。
【００１２】
以上の実施例によると以下の効果を奏する。
予約ボタンのＯＮにより、表示される全エレベーターの運行状況、割当エレベーターの現在位置及びその待ち時間に基づいてエレベーター利用者は、階段を利用するかエレベーターを利用するか最適手段を採用することができる。
さらに、予約ボタンとホール呼びボタンを別構成としたので、エレベーター利用者が階段を利用するかエレベーターを利用するかの選択に際して、ホール呼びボタンを操作する必要がないので、エレベーター利用者がホール呼びボタンをＯＮとしたまま、居なくなり、エレベーターが停止しても乗客が居ないとのエレベーターの非効率運転を回避することができる。
【００１３】
また、変形例として
予約操作盤６の配設箇所は、エレベーターホールへの経路等エレベーター利用者の流れを勘案して、当該経路の入口等適宜箇所に設置可能である。
ホール呼びボタン６ａ、９ａは、予約操作盤６の配設位置と乗場への経路との相対位置により、ホール呼びボタン６ａを省略して乗場ドア７ａ〜７ｄに近傍に配設したホール呼びボタン９ａのみでも、逆にホール呼びボタン９ａを省略して予約操作盤６のホール呼びボタン６ａのみでも、また両ホール呼びボタン６ａ、９ａを配設しても良い。
【００１４】
待ち時間の報知として、スピーカー６ｂに代えて映像報知でも、映像報知と音声報知の併用でも良いし、また、報知する時間も時々刻々報知しても、分単位等の所定単位時間毎の報知でも適宜の報知で良い。
ホール呼びボタンがＯＮとされた階床におけるエレベーター利用客の積み残し対策として、エレベーター予約表示灯（４ａ〜４ｄ）に代えて、予約ボタン３の上昇ボタン「↑」又は下降ボタン「↓」に対応する、エレベーターＮｏ．１〜Ｎｏ．４全てについて、割当順位の表示としても良い、そのときは、割当エレベーター表示（８ａ〜８ｄ）も同様の表示にすることとなる。
【図面の簡単な説明】
【００１５】
【図１】エレベーター予約操作盤の正面図
【図２】エレベーター予約操作盤を配設したエレベーターホール全体図
【図３】予約操作盤の操作に基づくエレベータ制御のフローチャート
【符号の説明】
【００１６】
１ａ〜１ｄ・・・エレベーター位置表示灯
２ａ〜２ｄ・・・エレベーター階床印字
３・・・・・・・予約ボタン
４ａ〜４ｄ・・・予約表示灯
５ａ〜５ｄ・・・エレベーターＮ０
６・・・・・・・予約操作盤
６ａ・・・・・・ホール呼びボタン
６ｂ・・・・・・スピーカー
７・・・・・・・乗場ドア
８・・・・・・・割当エレベーター表示灯
９・・・・・・・ホール呼びボタン
【図１】
2009143635.tif 000003
【図２】
2009143635.tif 000004
【図３】
2009143635.tif 000005